(57)【要約】【課題】長さ方向に対する垂直な横断面が半円における円弧状の形状を有し、円弧の先端部に相当する部分に耳部を有する一般的な軒樋を施工性よく軒先に取り付け、固定する。【解決手段】軒樋支持具１は、板状形状を有し、軒先の取付部位に固定可能とされた設置部７と、軒樋の外周形状と同一な形状とされた内周形状を有し、設置部の正面７ａから前方に突出した受け部８と、帯板状の形状を有し、設置部から遠い方に位置する受け部の第１先端部８ａに回動自在に接続され、受け部の上方を第１先端部から設置部に近い方に位置する第２先端部８ｂにかけて横断可能とされた固定部９とを備え、軒樋支持具では、固定部と、少なくとも設置部または設置部側に位置する受け部の第２先端部とに、被嵌合部１０または嵌合部１１のいずれか一方がそれぞれ設けられている。【選択図】図１
2016196780.tif 000002
【特許請求の範囲】
【請求項１】
長さ方向に対する垂直な横断面が半円における円弧状の形状を有し、円弧の先端部に相当する部分に耳部を有する軒樋を、少なくとも円弧に相当する部分の底面部および前記耳部をそれらの下側から挟持して支持する軒樋支持具であって、
この軒樋支持具は、板状形状を有し、軒先の取付部位に固定可能とされた設置部と、前記軒樋の外周形状と同一な形状とされた内周形状を有し、前記設置部の正面から前方に突出した受け部と、帯板状の形状を有し、前記設置部から遠い方に位置する前記受け部の第１先端部に回動自在に接続され、前記受け部の上方を前記第１先端部から前記設置部に近い方に位置する第２先端部にかけて横断可能とされた固定部とを備え、
前記固定部と、少なくとも前記設置部または前記設置部側に位置する前記受け部の前記第２先端部とに、被嵌合部または嵌合部のいずれか一方がそれぞれ設けられ、
前記被嵌合部が前記嵌合部と嵌合するとき、前記軒樋が支持される
ことを特徴とする軒樋支持具。
【請求項２】
前記被嵌合部は弾性を有するフックであり、前記嵌合部は、前記フックの挿入が可能な挿入孔を有し、前記フックは、前記挿入孔の内部に挿入されたとき、前記嵌合部に掛け止められ、前記フックと前記嵌合部が嵌合することを特徴とする請求項１に記載の軒樋支持具。
【請求項３】
前記設置部、前記受け部および前記固定部が樹脂製であることを特徴とする請求項１または２に記載の軒樋支持具。
【発明の詳細な説明】
【技術分野】
【０００１】
本発明は、長さ方向に対する垂直な横断面が半円における円弧状の形状を有する軒樋を軒先で支持する治具である軒樋支持具に関する。
【背景技術】
【０００２】
住宅などの軒先に取り付けられる軒樋は、軒先に取り付けられた軒樋固定用の治具である軒樋支持具に支持されて軒先に取り付けられ、固定される。軒樋には、軒先に取り付けられたときに上端部となる端部に、外方に突出する、一般に耳部と称される被嵌合部が形成され、軒樋支持具には、前記耳部と嵌合可能とされた嵌合部が形成されている。前記軒樋を軒先に取り付ける際には、前記耳部を前記嵌合部に嵌合させ、前記軒樋および前記軒樋支持具の互いに有する弾性力を利用して前記軒樋支持具が前記軒樋を支持し、前記軒樋の軒先への取り付けおよび固定を実現する。
【０００３】
上記のとおりの軒樋支持具に関し、下記特許文献１には、断面の外形が半円形の形状を有し、上方に開口した、軒樋を保持する保持具が記載されている。この保持具は、軒樋の底部が配置される軒樋載置部と、軒先より外側に離れて配置され、軒樋の外側を保持する外側保持部と、軒先側に配置され、軒樋の内側を保持する内側保持部と、軒先に接合され、保持具を軒先に固定する接合固定部とを有している。このような保持具には、前記外側保持部の先端部に軒樋の内外方向に回動自在とされた屈曲片が設けられ、かつ前記内側保持部の先端部に突起片が設けられている。
【０００４】
前記のとおりの保持具により保持される軒樋は、長さ調整の容易化と施工性の向上のために、帯状の薄板とされている。軒樋を軒先に取り付ける際には、前記のとおりの保持具をその接合固定部において軒先の鼻隠し板などにネジなどの固着具を用いて取り付ける。前記軒樋の幅方向の一端部を突起片に係止させ、前記軒樋を前記内側保持部、前記軒樋載置部および前記外側保持部のそれぞれの内面に沿って湾曲させて前記内面に配置する。この後、前記屈曲片を前記保持具の内側に向けて回動させ、前記屈曲片によって前記軒樋を抑え付けて固定する。
【先行技術文献】
【特許文献】
【０００５】
【特許文献１】特開2002-276098号公報
【発明の概要】
【発明が解決しようとする課題】
【０００６】
しかしながら、前記保持具は、帯状の薄板から形成される前記軒樋を支持する治具であり、前記のとおりの耳部を有する一般的な軒樋を支持することはできない。
【０００７】
本発明は、以上のとおりの事情に鑑みてなされたものであり、長さ方向に対する垂直な横断面が半円における円弧状の形状を有し、円弧の先端部に相当する部分に耳部を有する一般的な軒樋を施工性よく軒先に取り付け、固定することのできる軒樋支持具を提供することを課題としている。
【課題を解決するための手段】
【０００８】
上記の課題を解決するために、本発明の軒樋支持具は、長さ方向に対する垂直な横断面が半円における円弧状の形状を有し、円弧の先端部に相当する部分に耳部を有する軒樋を、少なくとも円弧に相当する部分の底面部および前記耳部をそれらの下側から挟持して支持する軒樋支持具であって、この軒樋支持具は、板状形状を有し、軒先の取付部位に固定可能とされた設置部と、前記軒樋の外周形状と同一な形状とされた内周形状を有し、前記設置部の正面から前方に突出した受け部と、帯板状の形状を有し、前記設置部から遠い方に位置する前記受け部の第１先端部に回動自在に接続され、前記受け部の上方を前記第１先端部から前記設置部に近い方に位置する第２先端部にかけて横断可能とされた固定部とを備え、前記固定部と、少なくとも前記設置部または前記設置部側に位置する前記受け部の前記第２先端部とに、被嵌合部または嵌合部のいずれか一方がそれぞれ設けられ、前記被嵌合部が前記嵌合部と嵌合するとき、前記軒樋が支持されることを特徴とする。
【発明の効果】
【０００９】
本発明の軒樋支持具によれば、長さ方向に対する垂直な横断面が半円における円弧状の形状を有し、円弧の先端部に相当する部分に耳部を有する一般的な軒樋を施工性よく軒先に取り付け、固定することができる。
【図面の簡単な説明】
【００１０】
【図１】本発明の軒樋支持具の一実施形態を示した斜視図である。
【図２】図１に示した軒樋支持具を用いて軒樋を取り付け、固定した状態を示した要部斜視図である。
【発明を実施するための形態】
【００１１】
図１は、本発明の軒樋支持具の一実施形態を示した斜視図である。図２は、図１に示した軒樋支持具を用いて軒樋を取り付け、固定した状態を示した要部斜視図である。
【００１２】
図２に示したように、軒樋支持具１は、長さｌ1方向に対する垂直な横断面が半円における円弧状の形状を有し、円弧の先端部に相当する部分２に耳部３を有する軒樋４を支持する治具である。軒樋支持具１は、少なくとも円弧に相当する部分５の底面部６および耳部３をそれらの下側から挟持して支持する。
【００１３】
また、軒樋支持具１は、図１に示したように、設置部７、受け部８および固定部９を備えている。設置部７は、板状形状を有し、軒先の取付部位、たとえば鼻隠し板などにネジｓなどの固着具によって固定可能とされている。受け部８は、図２に示した軒樋４の外周形状と同一な形状とされた内周形状を有し、設置部７の正面７ａから前方に突出している。固定部９は、帯板状の形状を有し、設置部７から遠い方に位置する受け部８の第１先端部８ａに、図１図中に示した矢印方向に回動自在に接続され、受け部８の上方を第１先端部８ａから設置部７に近い方に位置する第２先端部８ｂにかけて横断可能とされている。
【００１４】
軒樋支持具１では、固定部９と、少なくとも設置部７または設置部７側に位置する受け部８の第２先端部８ｂとに、被嵌合部１０または嵌合部１１のいずれか一方がそれぞれ設けられている。そして、軒樋支持具１では、被嵌合部１０が嵌合部１１と嵌合するとき、図２に示したように軒樋４が支持される。
【００１５】
このような軒樋支持具１では、好ましくは、被嵌合部１０は弾性を有するフック１２であり、また、嵌合部１１は、フック１２の挿入が可能な挿入孔１３を有する部材とする。フック１２は、挿入孔１３の内部に挿入されたとき、嵌合部１１に掛け止められ、フック１２と嵌合部１１が嵌合する。
【００１６】
また、軒樋支持具１では、設置部７、受け部８および固定部９は、たとえば、図２に示した軒樋４と同様に、ポリカーボネートなどの耐久性や耐候性などを有する樹脂製であることが好ましい。また、樹脂製とすることによって、軒樋支持具１の生産における成形安定性が向上し、軒樋支持具１は寸法精度に優れたものともなる。
【００１７】
具体的には、設置部７は、縦置き可能で、やや厚みを有する平板状の部材であり、剛性を有している。設置部７では、４本のネジｓが挿通可能な貫通孔ｈが、左右両端部７ｂ、７ｃに２つずつ形成されている。左端部７ｂおよび右端部７ｃでは、貫通孔ｈは、設置部７の縦幅ｗ1方向に離間して配置されている。言い換えると、貫通孔ｈは、左端部７ｂおよび右端部７ｃのそれぞれにおいて上下に一定間隔で縦列して配置されている。このような都合４つの貫通孔ｈは、いずれも設置部７を正面７ａから背面７ｄに貫通している。
【００１８】
設置部７の背面７ｄは平坦面とされ、軒先の鼻隠し板などの取付部位の表面と安定な面接触が可能とされている。設置部７の背面７ｄを鼻隠し板などの軒先の取付部位に当接させ、正面７ａ側からネジｓを貫通孔ｈを通じて軒先の取付部位にねじ込むことによって軒樋支持具１は軒先に取り付けられ、固定される。必要とされる固定強度を実現するために、ネジｓなどの固着具による固定に加え、設置部７の背面７ｄには接着剤を塗布し、設置部７の背面７ｄを軒先の取付部位に接着することも可能である。
【００１９】
受け部８では、第１先端部８ａおよび第２先端部８ｂを除く部分が、図２に示した軒樋４の横断面である半円における円弧状の形状と同一の曲率を有する円弧部８ｃとされている。円弧部８ｃは、剛性を有するばかりでなく、ある程度の弾性を有することが好ましい。円弧部８ｃの曲率は、軒樋４の前記円弧状の形状の曲率と正に同一であるばかりでなく、軒樋４が抜け外れなどしない程度にやや大きいまたはやや小さいものを含む。曲率が正に同一であれば、円弧部８ｃは、軒樋４の一方の耳部３から他方の耳部３にかけてのほとんどの外周部の一部をその外側から隙間なく保持することができる。曲率が多少大きくとも、軒樋４の抜け外れが起こらない程度であれば、円弧部８ｃは、軒樋４のほとんどの外周部の一部をその外側から安定して保持することができる。また、曲率が多少小さい場合には、円弧部８ｃは、その弾性によって変形可能であるため、軒樋４のほとんどの外周部の一部にその外側から密着してより強固に保持することができる。すなわち、円弧部８ｃの表面は、軒樋４の一方の耳部３から他方の耳部にかけての外周面の一部に当接可能とされている。
【００２０】
一方、受け部８の第１先端部８ａおよび第２先端部８ｂでは、円弧部８ｃとの接続部が、円弧部８ｃの外側にやや広がった後、わずかに立ち上がった、段状の耳部収納部１４が設けられている。耳部収納部１４は、図２に示した軒樋４の耳部３を収納する部位であり、表面側の底面１４ａと、底面１４ａから起立して延びる内側面１４ｂとを有している。底面１４ａは、軒樋４の耳部３の底面の一部と線接触または面接触可能であり、耳部３の載置を可能としている。内側面１４ｂは、軒樋４の耳部３の外側面の一部と線接触または面接触可能とされている。耳部収納部１４によって、受け部８は、軒樋４の耳部３をも安定して受けることができる。
【００２１】
このような受け部８は、前記のとおり、設置部７の正面７ａから前方に突出しているが、具体的には、図１に示した軒樋支持具１では、第２先端部８ｂの背面が設置部７の正面７ａの中央の上端部上に配置されて受け部８は設置部７に設けられている。受け部８は、設置部７に対し別体として設け、接続することもできるが、軒樋支持具１の生産性などを考慮すると、一体成形が好ましい。また、図１に示した軒樋支持具１では、受け部８の円弧部８ｃを補強する補強アームＡが、設置部７の中央の下端部から円弧部８ｃに向かってほぼ直線状に延び、その先端が、円弧部８ｃの外周面の一部に連結されている。補強アームＡも、設置部７や受け部８に対し別体として設け、接続することもできるが、軒樋支持具１の生産性などを考慮すると、一体成形が好ましい。補強アームＡによって、受け部８で受ける軒樋４の内部を雨水が流れるときや、雪が降り積もったときなどの重みにより十分に耐えることができる。受け部８の撓みや軒樋支持具１の脱落などの危険性が軽減される。
【００２２】
また、第１先端部８ａでは、耳部収納部１４から前方に突出する固定部連結部１５が設けられている。固定部連結部１５はやや厚みのある板状の部材であり、その外形は半円形である。固定部連結部１５では、そのほぼ中央に、上下方向に延びるピン受け孔（図示なし）が設けられている。固定部連結部１５の上面は平坦面であり、固定部９の第１端部９ａを載置可能としている。また、前記ピン受け孔にピン１６が上方より差し込まれることによって、固定部９を回動可能とし、第１先端部８ａにおいて固定部９は、受け部８に図１図中に示した矢印方向に回動自在に接続される。
【００２３】
図１に示した軒樋支持具１では、受け部８の第２先端部８ｂの上端面８ｂ1から設置部７の背面７ｄ側の上端面７ｅにかけて、側面視Ｕ字状の形状を有する嵌合部材１７が設けられている。嵌合部材１７は、嵌合部１１として機能するものであり、設置部７の横幅ｗ2方向に貫通し、挿入孔１３を形成している。
【００２４】
一方、固定部９は、前記のとおり帯板状の形状を有し、その長さｌ2方向の一端部が第１端部９ａとされ、他端部が第２端部９ｂとされている。第１端部９ａは、前記のとおり、固定部連結部１５の上面への載置が可能とされており、半円形の外形を有している。第１端部９ａでは、その下面が平坦面とされ、固定部連結部１５への安定な載置を可能としている。また、第１端部９ａでは、その中央に、上下に貫通した貫通孔（図示なし）を有している。この貫通孔を前記ピン受け孔に一致させて第１端部９ａを固定部連結部１５の上面に載置し、ピン１６を前記貫通孔の上側から前記ピン受け孔に差し込むことによって、固定部９は、受け部８の第１先端部８ａに回動自在に接続される。
【００２５】
固定部９の第２端部９ｂに被嵌合部１０としてフック１２が設けられている。フック１２は、第２端部９ｂの側面から設置部７に向かって突出している。フック１２は、２本一対の係止片１８から形成され、係止片１８の大きさおよび間隔は、嵌合部１１としての嵌合部材１７に設けられた挿入孔１３に挿入可能な大きさとされている。また、それぞれのフック１２の先端には、両フック１２の外側面から相反する方向に爪１９が設けられている。爪１９は、嵌合部材１７に掛け止め可能とされている。すなわち、固定部９の長さｌ2は、受け部８の第１先端部１ａに設けられた固定部連結部１５から嵌合部材１７までの長さに等しく、したがって、固定部９は、受け部８の上方を第１先端部８ａから第２先端部８ｂにかけて横断可能となっている。
【００２６】
以上のとおりの軒樋支持具１を用いて軒樋４を軒先に取り付け、固定する場合には、たとえば、設置部７の背面７ｄを鼻隠し板などの軒先の取付部位に当接させる。次いで、正面７ａ側からネジｓを貫通孔ｈを通じて軒先の取付部位にねじ込み、軒樋支持具１を取り付け、固定する。そして、複数の軒先支持具１を軒先の取付部位に所定の間隔で同様にして取り付け、固定する。このとき、固定部９は、設置部７の正面７ａと平行となるように配置しておく。この後、図２に示した軒樋４を軒樋支持具２の上方から受け部８に向けて落とし込む。軒樋４の耳部３を除くほとんどの外周部の一部は受け部８の円弧部８ｃの表面に載置される。また、耳部３の下面が、図１に示した第１先端部８ａ、８ｂに設けられた耳部収納部１４の底面１４ａに載置され、かつ耳部３の外側面の一部が内側面１４ｂと接触し、耳部３は耳部収納部１４に収納される。以上の載置および収納によって、図２に示した軒樋４は、軒樋支持具１に仮止めされたに等しい状態となる。
【００２７】
次いで、固定部９を図１図中に示した矢印方向に回動させ、固定部９を受け部８の第１先端部８ａから第２先端部８ｂにかけて横断するように配置する。そして、被嵌合部１０としてのフック１２を形成する係止片１８を、嵌合部１１としての嵌合部材１７の挿入孔１３に挿入する。爪１９によってフック１２は嵌合部材１７に掛け止められ、フック１２は嵌合部材１７と嵌合する。このときの嵌合によって、軒樋４は、軒樋支持具１に支持され、軒先に取り付けられ、固定される。軒樋支持具１は、軒樋４における少なくとも円弧に相当する部分５の底面部６および耳部３をそれらの下側から挟持して支持するため、軒樋支持具１による軒樋４の取り付けおよび固定の強度は十分なものとなる。
【００２８】
このように、軒樋支持具１は、長さｌ1方向に対する垂直な横断面が半円における円弧状の形状を有し、円弧の先端部に相当する部分２に耳部３を有する一般的な軒樋４であっても、軒樋４を施工性よく軒先に取り付け、固定することができる。また、軒樋支持具１は、構造が簡略化されており、コスト低減に寄与する。
【００２９】
もちろん、本発明の軒樋支持具は、以上の実施形態に制限されることはない。設置部の大きさや形状、軒先への取付方法、また、受け部の大きさや形状、第１先端部および第２先端部の構造や形状、さらに、固定部の大きさ、形状および構造などについては様々な態様が可能である。また、被嵌合部は固定部ではなく、少なくとも設置部または設置部側に位置する受け部の第２先端部に設けることもできる。同様に、嵌合部は固定部に設けることもできる。
【符号の説明】
【００３０】
１  軒樋支持具
２  円弧の先端部に相当する部分
３  耳部
４  軒樋
５  円弧に相当する部分
６  底面部
７  設置部
７ａ  正面
８  受け部
８ａ  第１先端部
８ｂ  第２先端部
９  固定部
１０  被嵌合部
１１  嵌合部
１２  フック
１３  挿入孔
【図１】
2016196780.tif 000003
【図２】
2016196780.tif 000004